(57)【要約】  この発明は、コークス炉室の一次側燃焼空間に空気供給部を通って流入する一次燃焼空気を覆って、供給配分をする装置及び方法に関する。この装置は、例えば、逆さになったカップ、あるいは下方に向かって開放している中空円錐体、あるいは中実円錐体として構成されており、この装置は、空気供給装置を手動で、又は自動で開閉することで、空気供給部を二段階乃至多段階で供給配分及び覆って閉じることができる。この装置によってコークス炉室の一次空気の換気を制御して、一次空気が正確に供給配分され、装置の設置場所に応じてコークス炉室の一次側燃焼空間に正確に分配される。【選択図】図１
2012519764.tif 000002
【特許請求の範囲】
【請求項１】
水平型のコークス炉室の一次側加熱空間に一次燃焼空気を供給配分及び遮断する装置であって、
・コークス炉バンク又はコークス炉バッテリーの少なくとも１つのコークス炉室の天井に、一次燃焼空気供給用の少なくとも１つの開口部が設けられている装置において、
・前記開口部が、前記空気供給装置を外側から覆うカバーを具えており、当該カバーを段階的に取り外して、前記空気供給用開口部を部分的に開き、これによって空気導入を可能にしており、
・前記カバーを段階的に取り外して前記空気供給装置を開放する段階数は、二段階ないし無段階であること、
を特徴とする装置。
【請求項２】
請求項１に記載の水平型のコークス炉室の一次側加熱空間に一次燃焼空気を供給配分及び遮断する装置において、
前記空気供給部が、前記コークス炉の天井を抜けて通る単純かつ垂直なパイプとして構成されており、これによって、前記一次側加熱空間に前記一次空気を供給することを特徴とする装置。
【請求項３】
請求項１又は２に記載の水平型のコークス炉室の一次側加熱空間に一次燃焼空気を供給配分及び遮断する装置において、
前記カバーが、前記コークス炉室に向けた丸い襟状のカバーを有するディスクとして構成されており、当該ディスクがカップ状の断面を有し、このカバーの断面が、カバーされる空気供給部の断面よりも大きいことを特徴とする装置。
【請求項４】
請求項１又は２に記載の水平型のコークス炉室の一次側加熱空間に一次燃焼空気を供給配分及び遮断する装置において、
前記カバーが下側に開放された中空円錐体として構成されており、その最大断面位置において、カバーされる空気供給部よりも大きいことを特徴とする装置。
【請求項５】
請求項１乃至４のいずれか１項に記載の水平型のコークス炉室の一次側加熱空間に一次燃焼空気を供給配分及び遮断する装置において、
前記カバーが、前記コークス炉室内の前記空気供給装置に対向する側部に増厚材を具えており、当該増厚材が、閉鎖手順において前記空気供給装置に入り込んで、前記空気供給装置を密閉することを特徴とする装置。
【請求項６】
請求項５に記載の水平型のコークス炉室の一次側加熱空間に一次燃焼空気を供給配分及び遮断する装置において、
前記増厚材が耐火材でできていることを特徴とする装置。
【請求項７】
請求項５又は６に記載の水平型のコークス炉室の一次側加熱空間に一次燃焼空気を供給配分及び遮断する装置において、
前記増厚材が、前記覆う及び供給配分を行う装置に対して、ボルト装置を用いて高さを上げ下げできることを特徴とする装置。
【請求項８】
請求項３乃至７のいずれか１項に記載の水平型のコークス炉室の一次側加熱空間に一次燃焼空気を供給配分及び遮断する装置において、
前記カバーが、機械装置によって垂直方向に動くロッドに連結されており、当該カバーがこの垂直方向の動きによって前記空気供給部を開閉することを特徴とする装置。
【請求項９】
請求項３乃至７のいずれか１項に記載の水平型のコークス炉室の一次側加熱空間に一次燃焼空気を供給配分及び遮断する装置において、
前記カバーが、関節装置によって当該カバーを前記空気供給部から離すように横方向に動かすロッドと連結されており、当該カバーが横に離れる動きによって前記空気供給部を開閉することを特徴とする装置。
【請求項１０】
請求項１又は２に記載の水平型のコークス炉室の一次側加熱空間に一次燃焼空気を供給配分及び遮断する装置において、
前記カバーが、中実の又は覆われた円錐体として構成されており、その先端が空気供給部に入り込んでこれを覆うことを特徴とする装置。
【請求項１１】
請求項１０に記載の水平型のコークス炉室の一次側加熱空間に一次燃焼空気を供給配分及び遮断する装置において、
前記カバーが、関節装置によって当該カバーを横方向に前記空気供給部から離れるように動かすロッドに連結されており、前記カバーはこの横方向へ離れる動きによって前記空気供給部を開閉することを特徴とする装置。
【請求項１２】
請求項１乃至１１のいずれか１項に記載の水平型のコークス炉室の一次側加熱空間に一次燃焼空気を供給配分及び遮断する装置において、
前記空気供給部が最大断面５０乃至２５０ミリメートルのパイプとして構成されており、前記カバーが最大断面部において８０乃至２８０ミリメートルの断面を有することを特徴とする装置。
【請求項１３】
請求項１乃至１２のいずれか１項に記載の水平型のコークス炉室の一次側加熱空間に一次燃焼空気を供給配分及び遮断する装置において、
前記空気供給部が、内部に、流入空気に対して空気の流速を高めるベンチュリー効果を及ぼす狭窄部があるパイプとして構成されていることを特徴とする装置。
【請求項１４】
請求項１乃至１３のいずれか１項に記載の水平型のコークス炉室の一次側加熱空間に一次燃焼空気を供給配分及び遮断する装置において、
前記カバーが、開口部又は目視用ガラスを具えており、これを通して、当該カバーの下方に位置するエリアにアクセスし又はそこを目視できることを特徴とする装置。
【請求項１５】
請求項１乃至１４のいずれか１項に記載の水平型のコークス炉室の一次側加熱空間に一次燃焼空気を供給配分及び遮断する装置において、
前記一次側の燃焼室内の空気供給用パイプが、一次燃焼空気を外から供給する集合管に連結されており、一次燃焼空気を、コークス炉バッテリー又はコークス炉バンクの一次側燃焼室の個々の空気供給パイプに分配し、前記遮断又は供給配分を行う装置が前記コークス炉室からそれた集合管の外側端部上に配置されていることを特徴とする装置。
【請求項１６】
水平型のコークス炉室の一次側加熱空間に一次燃焼空気を供給配分し又は遮断する方法であって、
・コークス炉バンク又はコークス炉バッテリーのコークス炉室の一次側加熱空間に、コークス炉室天井の開口部を通って一次燃焼空気を取り入れるステップと、
・この一次燃焼空気がコーキングガスの部分燃焼に使われ、このコーキングガスがコークス化に際して、コークスケークの上方のコークス炉室内部に位置するガス空間に流れるステップと、
・このようにして得た部分燃焼コーキングガスが、適宜の流路を通って、コークス化室の下方に位置する二次側加熱空間に流入し、そこで部分燃焼コーキングガスが二次燃焼空気と完全燃焼するステップと、
を具える方法において、
・一次燃焼空気を取り入れる開口部に、コークス炉室の外に配置した装置が設けられており、この装置が、一次燃焼空気を供給配分し、又は、一次燃焼空気がコークス炉室のコークス化空間へ流入することを遮断するステップと、
・前記装置を、一次燃焼空気を供給配分し、又は、一次燃焼空気のコークス炉室の一次燃焼空間への流入を遮断するために使用するステップと、
を具えることを特徴とする方法。
【請求項１７】
請求項１６に記載の水平型のコークス炉室の一次側加熱空間に一次燃焼空気を供給配分し又は遮断する方法において、
前記装置が、コークス炉バッテリー又はコークス炉バンクにある一又は複数のコークス炉室の一の空気供給部の上にのみ載っており、空気流入の制御及び調節に使用されるステップを具えることを特徴とする方法。
【請求項１８】
請求項１６に記載の水平型のコークス炉室の一次側加熱空間に一次燃焼空気を供給配分し又は遮断する方法において、
前記装置が、コークス炉バッテリー又はコークス炉バンクにある一又は複数のコークス炉室の複数の空気供給部の上に載っており、空気流入の制御及び調節に使用されるステップを具えることを特徴とする方法。
【請求項１９】
請求項１６乃至１８のいずれか１項に記載の水平型のコークス炉室の一次側加熱空間に一次燃焼空気を供給配分し又は遮断する方法において、
前記装置又はその複数が手動で動作するステップを具えることを特徴とする方法。
【請求項２０】
請求項１６乃至１８のいずれか１項に記載の水平型のコークス炉室の一次側加熱空間に一次燃焼空気を供給配分し又は遮断する方法において、
前記装置が、レバー、リンク類又はワイヤーを介して手動で動作するステップを具えることを特徴とする方法。
【請求項２１】
請求項１６乃至１８のいずれか１項に記載の水平型のコークス炉室の一次側加熱空間に一次燃焼空気を供給配分し又は遮断する方法において、
前記装置が油圧で動作するステップを具えることを特徴とする方法。
【請求項２２】
請求項１６乃至１８のいずれか１項に記載の水平型のコークス炉室の一次側加熱空間に一次燃焼空気を供給配分し又は遮断する方法において、
前記装置が電動モーターで動作するステップを具えることを特徴とする方法。
【請求項２３】
請求項１６乃至２２のいずれか１項に記載の水平型のコークス炉室の一次側加熱空間に一次燃焼空気を供給配分し又は遮断する方法において、
前記一次燃焼空気の供給が、軽い、連続的な正圧で動作するブローワー又はコンプレッサーによって動作するステップを具えることを特徴とする方法。
【発明の詳細な説明】
【技術分野】
【０００１】
本発明は、コークス炉室の一次側加熱空間に一次燃焼用空気を送り込む空気導入装置の供給配分及び遮断のための装置に関するものであり、この装置は、空気導入装置から段階的に離れるように動作するカバーとして構成されており、流入する空気量を正確に調節することが可能である。段階数は二段階から無段階までであり、流入する空気流は任意に細かく調節できる。同時に、この装置は天候の影響に対して空気導入装置を覆う役割も果たす。この装置は、空気導入装置の上でコークス炉室の外側に位置し、従ってアクセスが容易であると云う点で、従来技術と区別される。装置の配置によって、供給配分を容易に制でき、自動化も可能である。本発明は、コークス炉室の一次側加熱空間に本発明による装置を用いて一次燃焼用空気を供給配分する方法に関するものでもある。
【背景技術】
【０００２】
石炭のコークス化は、「熱回収タイプ」又は「非回収タイプ」のコークス炉で頻繁に行われており、コークス化に際して発生するコーキングガスを完全に燃焼させて、コーキングガスの燃焼熱をコークス製造プロセスで石炭の加熱に利用する。「熱回収タイプ」のコークス炉については、石炭ケークの加熱に使われるコーキングガス燃焼からの熱を蒸気発生器によって更に活用して、例えば下流側に設けたタービンによってエネルギーを発生させる。コークス炉は、典型的には順次配置した複数のコークス炉室の構成で使用され、コークス炉バンクと呼ばれる、「非回収タイプ」又は「熱回収タイプ」のコークス炉室を連続して配置した構成と、コークス炉バッテリーと呼ばれる、従来型のコークス炉室を順次配置した構成を伴う。
【０００３】
コークス化で発生するコーキングガスは夥しい熱価を持っている。コーキングガスの燃焼によって非従来型のコークス炉室で生じるコークキング熱の均一分布を実現するために、コーキングガスは二段階で燃焼させる。発生したコーキングガスは、先ず、コークス炉室内のコークスケーク上方に位置するガス空間に送られ、そこで半化学量論的量の空気と共に燃焼する。この空気は一次空気又は一次燃焼空気と呼ばれる。コークスケーク上方のガス空間は一次側加熱空間と呼ばれるのが通例である。部分的に燃焼したコーキングガスは、所謂「降水管」を経て一次側加熱空間から二次側加熱空間に送られ、ここでコーキングガスが完全燃焼する。これによってコークスケークは下からも加熱され、全面からコークスケーキを均一に加熱することができる。この結果は、改善された、とりわけ均質な品質のコークスの産出となる。
【０００４】
２つのステップにおけるコーキングガスのコントロールされた燃焼には、コークス炉室の一次側燃焼室と二次側燃焼室の両方に正確に空気を投与供給する必要がある。しかしながら、従来技術の装置は通常非常に単純な設計と構造であり、正確な供給配分が不可能であるか、又は、燃焼空気の配分が、コークス炉室のわずかなアクセス可能な位置あるいはまったくアクセスできない位置で行われる。二次側燃焼空気を供給するには、空気の供給配分が二次側燃焼室に直接送られず、二次側加熱空間の下側にあり、実際の二次側加熱空間に繋がっている垂直導管に連結された、所謂二次側空気ソールを経由しているため、空気導入の供給配分は通常容易である。
【０００５】
ＷＯ２００６／１２８６１２Ａ１は、「非回収タイプ」又は「熱回収タイプ」のコークス炉のコークス炉室に一次燃焼空気を送る装置を開示している。この装置によって、コークス炉室の一次側加熱空間が空間的に均等に通気されず、コークス炉室内の熱分布が不均質になることを防止している。この装置によって、コークス炉室の天井部分の複数又は多数位置で一次空気が入り、一次空気の流入が正確に測定され、乾留時間を通して可変的に制御される。このようにして、吸入された燃焼空気が炉内に入った後に直ちに反応して、燃焼が一次空気の入口エリアのみに限定されることを防止している。空気流入の調節は、ここで述べていない調節部材によってより綿密に行われる。
【０００６】
ＵＳ６１８７１４８Ｂ１は、一次側加熱空間と二次側加熱空間との間、又は、「非回収タイプ」又は「熱回収タイプ」のコークス炉の二次側空気ソールの圧力相殺を調整する装置としてのバルブを開示しており、これを用いて、コークス炉の一次側加熱空間と二次側加熱空間との間で圧力相殺を行う。とりわけコークス化プロセスの開始に当っては、冷えた石炭ケークがコークス炉に押し込まれるので、コークス炉室に陰圧が広がり、上述したコークス炉室扉とその上の蓋の開口を通って生じる一次空気の流入は、上手く調節できない。このため、本発明は、コークス炉の一次側加熱空間と二次側加熱空間との間で圧力相殺を行う「降水管」にバルブを設けている。これらのバルブは、必要な場合は二次側加熱空間に二次空気を取り入れるのに利用することもできる。一次燃焼空気の取り入れを調節することについては言及されていない。これらのバルブは、コークス炉室の扉からそれたコークス炉室側に収容されており、遮断装置としての回転チューブが装着されているので、操作は簡単ではない。しかし、回転チューブは、高温雰囲気では固着する傾向が有り、従って、修理の影響を受け易い。同様に、この装置に要する場所もかなりのものとなる。
【０００７】
そこで、一次燃焼空気をコークス炉の天井を通して導入する、単純な装置を利用することは実質的に利点となる。この装置は１本の単純なパイプで構成可能であり、別の装置によって遮断できる、あるいはガス流量という意味では供給配分を調節することができる。天井を通して導入することはより簡単であり、必要なスペースも少ない。更に、調節装置をコークス炉室の外であり、実際の空気導入装置の外に取り付ければ、保守がより簡単かつ容易になる。
【発明の概要】
【０００８】
そこでこの課題は、コークス炉室の一次側加熱空間に一次燃焼空気を供給配分できる装置を提供することであり、この供給配分は、無調節空気の導入装置上に取り付けて、この空気導入装置を遮断し、並びに、ガス流量という意味では、空気を供給することができる装置によって行われる。供給配分を行うこの装置は、単一の空気導入装置の上に取り付け可能であり、この装置を単独であるいは複数で装着できるようにする。さらに、この装置は段階的調整あるいは無段階の調整ができる。また、この装置は、供給配分と遮断を手動で、及びモーター駆動型アクチュエータによって調節可能であり、必要な場合には自動化することも可能である。
【０００９】
本発明は、この課題を、空気導入用に装置の上に乗せることができるカバーとして構成した装置を提供することによって解決している。この蓋のように構成された装置は、空気供給部から持ち上げて供給配分を実行し、これは装置を垂直に上げて、横方向に離れるように展開させることによって行われる。この手順によれは、装置の取り付けも操作も容易であり、保守に掛かる手間も少なくてすむ。この外部取付によって、この装置は、コークス炉室の天井を通る空気供給部を有する既存のコークス炉室に容易に取り付けることができる。取り外しは、スナップ式のストッパーを少なくとも二段階で導入することによって、またこのストッパーが無い場合は、カウンターウエイトによって十分に保持できる関節機構によって、多段階に、言い換えれば無段階に行うことができる。
【００１０】
実際の装置は、カバーとして構成されており、逆さにしたカップのような形状をしている。すなわち、下側に向けて整形された襟状の周縁を有するプレートであることを意味している。しかし、下側に向けて開放された側部を具え、上方向に帽子をかぶっているかのような頂部を有する空気導入装置を覆っている側部を具える中空の円錐体であってもよい。この供給配分装置は、中実の円錐体でできていてもよく、これが動いて、下側に向かう頂部が空気導入装置に入り込んで、徐々に遮断する装置であってもよい。
【００１１】
このようにして、一次燃焼空気をコークス炉室へ、簡単に、かつ無段階又は段階的に供給配分することが可能となる。この装置は、単一の空気供給装置、あるいは複数の空気供給装置に取り付けることができる。本発明は、コークス炉室の内壁が天候の影響から保護されるという利点がある。とりわけ熱帯地方では、激しい降雨が頻繁かつ定期的に発生し、水平型のコークス炉室の操業において大きな問題となっている。強い降雨に際しては、雨水が繰り返し一次側空気供給部を通ってコークス炉室に浸入し、これが炉の操業を著しく阻害することがあると共に、炉の壁面を破壊することもある。本発明による装置によって、降雨時の水の浸入が確実に防止される。
【００１２】
特許請求の範囲は、特に、水平型のコークス炉室の一次側加熱空間に一次燃焼空気を供給配分又は遮断するための装置についてであり、これは、
・コークス炉バンク又はコークス炉バッテリーの少なくとも一のコークス炉室の天井に、一次燃焼空気の空気供給用の少なくとも一の開口部が設けられている装置において、
・この開口部が、外側部の空気供給部を覆うカバーを有し、このカバーを徐々に外して、空気供給部の開口を部分的に開放して、空気を導入できること、及び
・カバーの取り外しと空気供給部を開放する段階数が、二段階と多段階の範囲にあること、
を特徴とする。
【００１３】
最も良く用いられるレイアウトでは、空気供給部又は複数の空気供給部自体がパイプとして構成されており、本発明による装置はパイプの上に蓋のように載っていて、パイプを遮断している。このパイプは、単純に天井を垂直に通り抜けていてもよく、開放端が下に向いたＵ字管のようになっていてもよい。この場合、本発明の遮断装置は、上向きになった襟状の突出部と水平方向において対称に載っている。空気導入装置は、断面矩形であってもよく、天井を垂直又は斜めに通っていてもよい。
【００１４】
非常に簡単な実施例では、空気導入装置も簡単な流路として構成してもよく、この構成では制御された導入を行うことができない。この流路は、レンガを積んで作ることもでき、コークス炉の天井に取入口が形成されている。空気取入口は、上側にレンガでできた突出部を形成していてもよい。コークス炉室天井の内側には、空気送出装置が任意に作られていてもよく、取り入れた一次空気を方向づけるインサートを具えていてもよい。空気導入用の流路又はパイプは、天井に密閉材を設けるようにしてもよい。
【００１５】
本発明による供給配分及び遮断装置自体は、任意の形状を有していてよい。カバーとして作用する本発明の装置は、ディスク形状であってもよく、コークス炉室に向けた襟状のカバーで構成されており、このカバーはカップを逆さにした断面を具え、これによってカバーされる空気送出装置より大きな断面となるので、本発明の機能を実現することができる。このカップは、任意の形状であっても良い。このカップは、６０度の角度で分枝している２本の直線を伴う直線の中央インターフェースを具えていても良い。しかしこのカップは、波型のＷ字形状であってもよく、このカップは逆さになった形で使用される。
【００１６】
しかしながら、本発明の装置は、逆さになっていて下向きに開放された中空円錐体として構成されており、中央インターフェースが逆さになったＶ字形状を有するものでもよい。最大断面において、逆さになった中空円錐体は、カバーされる空気供給部より断面が大きい。このＶ字形状は、波型、言い換えれば、尖った先端で終わっていなくてもよい。この中空の円錐体は、カバーするという役割を果たす限り、任意の形状であってもよい。
【００１７】
非常に簡単な実施例では、カバーと供給配分を行う装置を、空気供給装置に固定されていない単純なフラップとして構成しても良い。この装置は、移動機構を用いたロッドで昇降可能となっている。
【００１８】
このカバーは中実の円錐形状であってもよく、空気供給装置の中に入って、この円錐体が入ると空気供給装置又はパイプが遮断される。中実の円錐体は、中空であるが、全ての面に対して閉じている円錐体として構成することもできる。これはまた、その先端が空気供給装置の中に入ることによって、カバー機能を果たし、それによって空気を遮断する。これによって、製造コストが少なくなることがある。本発明のカバー装置はまた、それがカバー機能を果たす限り、単純なプレート形状を有するものでもよい。すなわち、本発明によるカバー装置は、本発明による課題を解決する限り、任意の形状でもよい。
【００１９】
本発明の装置は、コークス炉室天井における高温に対して充分に耐性がある任意の材料で作ることができる。この材料の一例は、ステンレススチールであるが、セラミクス又は石でつくることもできる。本発明のインサートは、密封剤又は封止具を具えていても良い。
【００２０】
本発明による装置は、その内側部に空気供給装置に入り込む増厚材を有しており、更なる密閉遮断を提供するようにしてもよい。これらの増厚材は、耐火性材料でできていることが望ましい。このことは、とりわけ開始段階で有用である。これらの増厚材は、カバーと供給配分を行う本発明の装置に対する、ボルト装置と共に昇降する。
【００２１】
本発明による装置は、空気供給部から離れるように動かして、空気供給装置を開くことができる。空気供給装置が逆さにしたカップである場合、これを持ち上げることによって、空気供給装置から離すことができる。閉じた状態では、単にパイプの上に載せるだけで、装置が閉じる。例示的な実施例においては、このカップが下に向けてロッドへ連結されており、ロッドは油圧式昇降シリンダーに連結されている。この油圧式昇降装置は逆さになったカップを昇降させ、カップが下りたときにパイプを遮断する。この装置は二段階（開・閉）で、又は任意の段階数で昇降可能である。
【００２２】
開閉装置は、横方向に回して取り外したときに所望の機能を発揮する。これは、カバー装置に固定されている関節装置によって有利に行なわれる。これは任意の方向に回して取り外すことができる。この取り外し動作も二段階から多段階（無段階）まで様々な段階で行うことができる。
【００２３】
カバー装置が中実の円錐体である場合は、通常は回して外すことができないので、通常、上下させることによってのみ外すことができる。しかし原理的には、いずれの装置も、カバー装置を空気供給装置へ及び装置から移動させることが考えられる。
【００２４】
一般的に、カバーは、完全且つ確実にカバーするためには、空気供給装置又はパイプよりも断面が大きい。不完全なカバー装置も考えられるが、稀である。通常、本発明のカバーとしての最大断面は、８０乃至２８０ミリメートルである。通常、本発明のカバーを設けた空気供給部又はパイプの最大断面は、５０乃至２５０ミリメートルである。典型的な実施例では、これらのパイプの高さは５０乃至１２００ミリメートルである。
【００２５】
空気供給部は、その内側に空気誘導装置を設けることができる。本発明の装置は、その内側に、例えば狭窄部が設けられており、これが流入するガス流にベンチュリー効果をもたらす。これによって、流入する空気流の速度が速くなる。空気供給部は整流板を具えていてもよい。コークス炉室の内側において、空気供給部に、ガス導入装置又は噴出口を設けるようにしてもよい。カバー装置はプレート又はカップであり、これらは、カバーの下のエリアを見る又はそこにアクセスできるように、開口又は目視用ガラスを具えていてもよい。
【００２６】
殆どのアプリケーションにおいて、空気供給部は、コークス炉室の上に個別に又はまとまって配置されている。しかし、中央で空気を吸引しこれを個々の空気供給部に分配する集合管を用いることも可能である。ガス排出管を具えた複数のコークス化室からガスを排出する集合管の例は、ＧＢ３８４０９２に開示されている。個々のガスを排出管には、供給配分装置としてフラップ（１８）が設けられている。外側から取り付けて、カバー効果のある供給配分装置はここには開示されていない。したがって、本発明に記載されているように、一次燃焼空気が外から供給され、コークス炉バッテリー又はコークス炉バンクの一次側燃焼空間の個々の空気導入管にこれを供給する集合管に、本発明の装置を設けて、コークス炉室を避けた集合管の外側端部で、遮断と供給配分を行うようにすることができる。
【００２７】
本発明による装置は、取付が簡単であり、コスト的に有利であり、保守や汚れ除去を容易に行うことができる。
【００２８】
特許請求の範囲は、特に方法について請求しており、この方法は、一次側加熱室への空気流入を本発明による装置によって制御及び調節することができる。特許請求の範囲は、特に、水平型のコークス炉室の一次側加熱空間に一次燃焼空気を供給配分又は遮断する方法に関し、この方法は、
・コークス炉バンク又はコークス炉バッテリーのコークス炉室の一次側加熱空間に、コークス炉室天井の一の開口を通って一次燃焼空気が取り入れられ、
・この一次燃焼空気が、コーキングガスの燃焼の一部に使われ、このコーキングガスはコークス化に際して、コークスケーク上方のコークス炉室の内部に位置しているガス空間に流れ、
・このようにして得た部分燃焼コーキングガスが、適宜の流路を通って、コークス化室の下方に位置している二次側加熱空間に流れ、そこで、当該部分燃焼したコーキングガスが二次燃焼空気と共に完全に燃焼する、
方法であり、
・一次燃焼空気を取り入れる開口部に、コークス炉室の外部に配置した装置が設けられており、一次燃焼空気を供給配分し、又は、一次燃焼空気のコークス炉室のコークス化空間への流入を遮断するステップと、
・この装置を、一次燃焼空気の供給配分、又は、一次燃焼空気のコークス炉室の一次燃焼空間への流入を遮断するのに使用するステップ、
を具えることを特徴とする。
【００２９】
本発明による方法を実行するうえで、複数のコークス炉バンクの一つ又はコークス炉バッテリーの複数のコークス炉室の空気供給部のみで供給配分及び遮断を行うように装置を配置して、空気流入を調節することができる。本発明の装置は、任意の位置に取り付けることができ、調節機能を持たない別の空気供給装置があってもよい。また、本発明による装置は、コークス炉バンク又はコークス炉バッテリーの一又は複数のコークス炉室の複数の空気供給部に載っていて、空気流入を制御調節するために使うことができる。一例として、コークス炉室の空気供給部のすべてに、本発明による遮断装置を設けるようにしてもよい。これらはいずれの場合も個別に又は同時に、制御及び調節を行うことができる。
【００３０】
例えば、本発明の装置の遮断操作は、手動にて行うことができる。このために、コークス炉室の天井に登って自動で操作するハンドルをカバーの上に装着することができる。この操作は、レバーやワイヤーあるいはリンク類を用いて、遠隔場所から手動で行うことができる。本発明による装置の駆動は、油圧式又は電動式で行うこともできる。例えば、この操作はカバーに対して直接、又は例えばレバーを用いて遠隔場所から行なってもよい。油圧式又は電動式の装置を適用する場合は、例えばプロセス・コントロールシステムによって自動化することができる。このために、例えばコークス炉室又は一次側加熱空間の温度や酸素含有量を検出するセンサー類も利用する。本発明による装置の位置を検出するセンサーも利用できる。ブローワーやコンプレッサーによって空気供給装置に若干、一定の負圧が生じる場合にも、この装置を利用することができる。
【００３１】
本発明による装置は、外側から空気導入装置に取り付けることができるので装着が容易であり、現存の設備に容易に据え付けることもできる。この装置は保守の手間がかからず、簡単に汚れを落とすことができる。その配置タイプによって、装置及び装置に取り付けたコークス炉室に必要なスペースが少なくて済む。本発明の装置によって、一次側加熱室への空気流入を容易に調節することができるので、一次側加熱空間への空気供給を均等に配分することができ、産出されるコークスの品質がより良いものとなる。カバー及び供給配分する本発明による装置は、自動化が容易であり、コークス炉室内の測定パラメーターに基づいて制御可能な方法を適用することによって作動させることができる。
【図面の簡単な説明】
【００３２】
以下において、本発明による装置の設計とレイアウトは１２枚の図面に基づいて説明されているが、発明の設計とレイアウトはこれら実施例に限定されるものではない。
【図１】図１は、コークス炉室（４）の一次側加熱空間（３）への空気供給部（２）の供給配分及び遮断を行う本発明による装置（１）を示す。コークス炉室には、天井（５）と一次側加熱空間（３）の一部が見られる。実際の本発明のカバー（１）は、逆さにしたカップ（１ａ）のような構成であり、これはコークス炉室に対して丸く襟状のカバー（１ｂ）を具えている。このカバーは空気供給装置（２）に載っているので、これによって空気の流入流（６）が遮断される。遮断装置は、その内側にロッド（７）で固定されている。このロッドは更に油圧シリンダー（８）に連結されており、適宜の油圧式装置によって上下に動く。油圧式装置は、接続ケーブル（８ｂ）を介して制御装置（８ｃ）に接続されているモーター式アクチュエータ（８ａ）によって駆動される。
【図２】図２は、油圧シリンダー（８ａ）によって開いている同一の装置を示す。この油圧シリンダー（８）は、ロッド（７）を上方に動かし、このロッドが同様にカップ（１ａ）を上方に動かす。これによって、一次側空気（６）を導入する空気供給部が開く。装置（１）はここでハンドル（９ａ）が付いた内部点検用点検ポート（９）を具えている。
【図３】図３はまた、点検用ポートに替えて、逆さになったカップ（１ａ）の内部に配置され、空気供給装置（２）へ移動し得、それをしっかり塞ぐことができる増厚材（１ｃ）を具える、同じ装置（１）を示している。この装置はまた、油圧シリンダー（８）を用いて、ロッド（７）によって自動的に動くことができる。
【図４】図４は、逆さになったカップ（１ａ）の内部に配置され、スクリュー装置（１ｄ）によって降下可能、すなわち、本発明によるフラップ（１）から、空気導入装置（２）へ降下できる増厚材（１ｃ）を具える、同じ装置（１）を示している。この装置（２）も、油圧シリンダー（７）を用いて、ロッド（６）によって自動的に動く。
【図５】図５も、コークス炉室（４）の一次側加熱空間（３）への空気供給部（２）の供給配分及び遮断を行う本発明の装置（１）を示す。遮断装置は、底部に向かって開放されている、中空の逆さになった円錐体（１ｃ）として構成されている。この中空円錐体はグリップ（１０）が付いていて、これによって中空円錐体（１ｅ）を手動（１０ａ）で横方向に回すことができる。中空円錐体それ自体は、ロッドを介して関節機構（７ａ）に固定されている。コークス炉室内部方向に向けた先端（５）側に、空気供給部（２）が噴出口（１１）と共に設けられている。
【図６】図６は、開位置にある中空円錐体（１ｅ）を伴う装置（１）を示している。一次空気（６ｂ）は噴出口（１１）を通って、方向づけられた形で導入される。
【図７】図７も、コークス炉室（４）の一次側加熱空間（３）への空気供給部（２）の供給配分及び遮断を行う本発明の装置（１）を示す。この装置（１）は、中実の閉じられた円錐体（１ｆ）を具えており、これは空気供給装置（２）の開口（２ａ）に入って、これをしっかり閉鎖する。空気供給装置（２）は、狭窄部を具えており、流入する一次空気（６）のガス速度（１２）を上げる。
【図８】図８は、この装置（１ｆ）を閉じた状態で示す。この動きは、油圧式アクチュエータによって動作する油圧シリンダー（８）を介して行なわれる。これは更に、制御ユニット（８ｃ）に接続ケーブル（８ｂ）を介して接続されたモーター駆動式アクチュエータ（８ａ）を介して制御される。コークス炉室の天井（５）の下に、一次側加熱空間（３）が見て取れる。
【図９】図９は、コークス炉室（４）の一次側加熱空間（３）への空気供給部（２）の供給配分及び遮断を行う本発明による装置（１）を表わしている。この図では、空気供給装置（２）の上のカバーだけを見て取れる。中央断面においては、弧を描いたＷ字状（１ｇ）の形をしている。それによって、空気供給装置（２）としてのパイプを、より良い状態で覆うことができる。
【図１０】図１０は、単純なフラップ（１ｈ）として構成された本発明による装置（１）を示す図であり、このフラップは下に展開することで（１ｉ）空気供給部を覆う。この下側への展開は、油圧シリンダー（８）で動くレバー（７）によって制御される。これはモータ駆動式アクチュエータ（８ａ）によって駆動する。フラップは、ロッド（１ｊ）に対して可動に吊られている。
【図１１】図１１は、本発明による装置（１）を示す図であり、この装置はコークス炉室（４）に空気を供給する空気供給装置（２）を覆っている。両装置は無機物質又は石状材料でできている。カバー及び供給配分する本発明の装置（１）は、逆さになった中空円錐体（１ｋ）として構成されており、これはセラミクス材料でできている。コークス炉室（４）に空気を供給する装置（２）は、非焼成煉瓦（２ａ）でできており、突出部として形成された煉瓦の空気供給流路（２ｂ）を形成している。この供給配分及びカバー装置（１）は、横方向に展開させることで開く。
【図１２】図１２は、「非回収タイプ」又は「熱回収タイプ」の水平型コークス炉室（４）における本発明の装置（１）の配置を示している。供給配分及び遮断を行う本発明の装置（１）は、ここではパイプとして構成されている空気供給装置（２）の上方に配置した、丸い、襟状のスリーブ（１ｂ）を有する蓋として構成されている。これは、関節機構（７ａ）によって横方向に回って離れるようになっており、これによって空気供給部（２）が開閉する。ここではコークスケーク（１３）、コークス炉室の扉（１４）、開口部（１５ａ）を具える「降水管」流路（１５）、二次側加熱空間（１６）、そして二次側空気ソール（１７）が見て取れる。二次側空気ソール（１７）は、開口部（１７ａ）を具えており、この開口部にも供給配分及び遮断を行う装置が設けられており、二次側空気流を調節できる。
【符号の説明】
【００３３】
１      供給配分及び遮断を行う装置
１ａ    逆さになったカップ
１ｂ    丸い襟状のカバー
１ｃ    増厚材
１ｄ    スクリュー装置
１ｅ    中空円錐体
１ｆ    中実円錐体
１ｇ    弧を描いたＷ字状の逆さになったカップ
１ｈ    フラップ
１ｉ    下側に展開したフラップ位置
１ｊ    ロッド
１ｋ    煉瓦でできた逆さになった中空円錐体
２      空気供給部
２ａ    空気供給装置の煉瓦
２ｂ    突出部として煉瓦を積んだ空気供給路
３      一次側加熱空間
４      コークス炉室
５      コークス炉室の天井
６      空気流
７      ロッド
７ａ    ロッドを動かす関節機構
８      油圧シリンダー
８ａ    位置決めモーター
８ｂ    接続ケーブル
８ｃ    制御装置
９      グリップ付きの点検用開口部
１０    開放用グリップ
１０ａ  手動開口
１１    噴出口
１２    「ベンチュリー効果」でガス流速を高める狭窄部
１３    コークスケーク
１４    コークス炉室の扉（開装置付き）
１５    降水管
１５ａ  降水管の開口部
１６    二次側加熱空間
１７    二次側空気ソール
１７ａ  二次側空気ソールの供給配分及び遮断を行う装置
【図１】
2012519764.tif 000003
【図２】
2012519764.tif 000004
【図３】
2012519764.tif 000005
【図４】
2012519764.tif 000006
【図５】
2012519764.tif 000007
【図６】
2012519764.tif 000008
【図７】
2012519764.tif 000009
【図８】
2012519764.tif 000010
【図９】
2012519764.tif 000011
【図１０】
2012519764.tif 000012
【図１１】
2012519764.tif 000013
【図１２】
2012519764.tif 000014
【手続補正書】
【提出日】平成22年9月20日(2010.9.20)
【手続補正１】
【補正対象書類名】明細書
【補正対象項目名】全文
【補正方法】変更
【補正の内容】
【書類名】明細書
【発明の名称】水平型コークス炉室の一次側加熱空間へ一次燃焼用空気を供給配分又は遮断する装置及び方法
【技術分野】
【０００１】
本発明は、コークス炉室の一次側加熱空間に一次燃焼用空気を送り込む空気導入装置の供給配分及び遮断のための装置に関するものであり、この装置は、空気導入装置から段階的に離れるように動作するカバーとして構成されており、流入する空気量を正確に調節することが可能である。段階数は二段階から無段階までであり、流入する空気流は任意に細かく調節できる。同時に、この装置は天候の影響に対して空気導入装置を覆う役割も果たす。この装置は、空気導入装置の上でコークス炉室の外側に位置し、従ってアクセスが容易であると云う点で、従来技術と区別される。装置の配置によって、供給配分を容易に制御でき、自動化も可能である。本発明は、コークス炉室の一次側加熱空間に本発明による装置を用いて一次燃焼用空気を供給配分する方法に関するものでもある。
【背景技術】
【０００２】
石炭のコークス化は、「熱回収タイプ」又は「非回収タイプ」のコークス炉で頻繁に行われており、コークス化に際して発生するコーキングガスを完全に燃焼させて、コーキングガスの燃焼熱をコークス製造プロセスで石炭の加熱に利用する。「熱回収タイプ」のコークス炉については、石炭ケークの加熱に使われるコーキングガス燃焼からの熱を蒸気発生器によって更に活用して、例えば下流側に設けたタービンによってエネルギーを発生させる。コークス炉は、典型的には順次配置した複数のコークス炉室の構成で使用され、コークス炉バンクと呼ばれる、「非回収タイプ」又は「熱回収タイプ」のコークス炉室を連続して配置した構成と、コークス炉バッテリーと呼ばれる、従来型のコークス炉室を順次配置した構成を伴う。
【０００３】
コークス化で発生するコーキングガスは夥しい熱価を持っている。コーキングガスの燃焼によって非従来型のコークス炉室で生じるコークキング熱の均一分布を実現するために、コーキングガスは二段階で燃焼させる。発生したコーキングガスは、先ず、コークス炉室内のコークスケーク上方に位置するガス空間に送られ、そこで半化学量論的量の空気と共に燃焼する。この空気は一次空気又は一次燃焼空気と呼ばれる。コークスケーク上方のガス空間は一次側加熱空間と呼ばれるのが通例である。部分的に燃焼したコーキングガスは、所謂「降水管」を経て一次側加熱空間から二次側加熱空間に送られ、ここでコーキングガスが完全燃焼する。これによってコークスケークは下からも加熱され、全面からコークスケーキを均一に加熱することができる。この結果は、改善された、とりわけ均質な品質のコークスの産出となる。
【０００４】
２つのステップにおけるコーキングガスのコントロールされた燃焼には、コークス炉室の一次側燃焼室と二次側燃焼室の両方に正確に空気を投与供給する必要がある。しかしながら、従来技術の装置は通常非常に単純な設計と構造であり、正確な供給配分が不可能であるか、又は、燃焼空気の配分が、コークス炉室のわずかなアクセス可能な位置あるいはまったくアクセスできない位置で行われる。二次側燃焼空気を供給するには、空気の供給配分が二次側燃焼室に直接送られず、二次側加熱空間の下側にあり、実際の二次側加熱空間に繋がっている垂直導管に連結された、所謂二次側空気ソールを経由しているため、空気導入の供給配分は通常容易である。
【０００５】
ＷＯ２００６／１２８６１２Ａ１は、「非回収タイプ」又は「熱回収タイプ」のコークス炉のコークス炉室に一次燃焼空気を送る装置を開示している。この装置によって、コークス炉室の一次側加熱空間が空間的に均等に通気されず、コークス炉室内の熱分布が不均質になることを防止している。この装置によって、コークス炉室の天井部分の複数又は多数位置で一次空気が入り、一次空気の流入が正確に測定され、乾留時間を通して可変的に制御される。このようにして、吸入された燃焼空気が炉内に入った後に直ちに反応して、燃焼が一次空気の入口エリアのみに限定されることを防止している。空気流入の調節は、ここで述べていない調節部材によってより綿密に行われる。
【０００６】
ＵＳ６１８７１４８Ｂ１は、一次側加熱空間と二次側加熱空間との間、又は、「非回収タイプ」又は「熱回収タイプ」のコークス炉の二次側空気ソールの圧力相殺を調整する装置としてのバルブを開示しており、これを用いて、コークス炉の一次側加熱空間と二次側加熱空間との間で圧力相殺を行う。とりわけコークス化プロセスの開始に当っては、冷えた石炭ケークがコークス炉に押し込まれるので、コークス炉室に陰圧が広がり、上述したコークス炉室扉とその上の蓋の開口を通って生じる一次空気の流入は、上手く調節できない。このため、本発明は、コークス炉の一次側加熱空間と二次側加熱空間との間で圧力相殺を行う「降水管」にバルブを設けている。これらのバルブは、必要な場合は二次側加熱空間に二次空気を取り入れるのに利用することもできる。一次燃焼空気の取り入れを調節することについては言及されていない。これらのバルブは、コークス炉室の扉からそれたコークス炉室側に収容されており、遮断装置としての回転チューブが装着されているので、操作は簡単ではない。しかし、回転チューブは、高温雰囲気では固着する傾向が有り、従って、修理の影響を受け易い。同様に、この装置に要する場所もかなりのものとなる。
【０００７】
ＣＮ１３５８８２２Ａは、主として、炉本体、コークス炉室の主壁、炉底、適宜の開扉装置が付いた炉扉、コークス給送機、コークス押詰機、火消具付きのコークス収容装置、そして、鉄工具付きの部品修理機からなるコークス炉を開示している。アーチ状炉天井、一次空気調節装置、二次空気調節装備、上下に炉壁を保持する器具、二重連結された空気孔と四重連結された炉底アーチ、サンドイッチ型空気供給装置、及び底持型の扉支持構造を適合させることによって、石炭コストを下げて、原料炭を替えてもコークスの品質を向上させることが可能となり、良好に熱を回収できる。この教示は、コークス炉室天井の上に位置する一次空気開口用のフラップについて述べているが、その動作と操作メカニズム、又、コークス化プロセスへの依存性については、詳細に開示されていない。
【０００８】
ＤＥ１０２００５０１５３０１Ａ１は、「熱回収タイプ」又は「非回収タイプ」のコークス炉のコークス炉室におけるコークスを生産する方法を開示している。この方法によれば、コークス炉室を石炭層で満たし、これを加熱し、揮発性の石炭成分が石炭からのガスとして排出される。これら揮発性成分は石炭層の上で部分的に酸化される。燃焼システムは、コークス炉室の下に配置されており、まだ燃焼していない揮発性石炭成分と、部分的燃焼に置いて発生したガスの燃焼に用いられる。コークス炉室は、流路が設けられている側壁を具えていて、これらの流路は、ガス側のコークス炉室の上方のコークスが無い部分を、コークス化室下側の燃焼システムに連結しており、石炭層の上で部分的に酸化した揮発性石炭成分は、この流路を経由してコークス炉室下側に配置された燃焼システムに運ばれる。コークス炉室と燃焼システムは共に、空気を限定的に導入する装置を具えている。揮発性石炭成分の燃焼は、石炭層の上のコークス炉室においても、その下側に配置された燃焼システムにおいても、最初は、部分的酸化として不完全に行われるだけであり、完全燃焼は、後に、コークス炉室とは別の最終燃焼システムで行われる。このシステムは、コークス炉室、及びコークス炉室の下にある燃焼システムの外に設置されている。この教示は、コークス炉室天井の上の調節式空気取入口を開示しているが、その詳細についてはそれ以上説明されていない。
【０００９】
ＷＯ２００７／０５７０７６Ａ１は、「非回収タイプ」コークス炉用の換気装置を開示しており、この換気装置は少なくとも１つの開口部からなるエアレーション装置を具えており、この開口は壁または例えば開き戸のようなインターナルを通っており、炉の内部を炉の周りの外部雰囲気に連結しており、閉止部材によって全体的又は部分的に閉じることができる。この場合に、二またはそれ以上のこれら閉止部材は、少なくとも一の機械的連結部材によって連結されており、連結部材を直接又はレバーを介して閉止部材に取り付けている。各連結部材は、少なくとも一の中央作動部材に閉止部材が動くように連結されており、それぞれの開口部が、閉止、完全開口、中間位置に設定できるようにしている。一次空気をコークス炉室に供給する開口部がコークス炉室扉に設けられており、一次空気は、コークス炉室内にコークス炉室扉の周辺においてのみ流入する。調節は、通常、カバープレート又はスクリュースピンドルによって行われるため、特定の操作条件では正確な調節に問題があり、降雨が問題となる。
【００１０】
そこで、一次燃焼空気をコークス炉の天井を通して導入する、単純な装置を利用することは実質的に利点となる。この装置は１本の単純なパイプで構成可能であり、別の装置によって遮断できる、あるいはガス流量という意味では供給配分を調節することができる。天井を通して導入することはより簡単であり、必要なスペースも少ない。更に、調節装置をコークス炉室の外であり、実際の空気導入装置の外に取り付ければ、保守がより簡単かつ容易になる。
【発明の概要】
【００１１】
そこでこの課題は、コークス炉室の一次側加熱空間に一次燃焼空気を供給配分できる装置を提供することであり、この供給配分は、無調節空気の導入装置上に取り付けて、この空気導入装置を遮断し、並びに、ガス流量という意味では、空気を供給することができる装置によって行われる。供給配分を行うこの装置は、単一の空気導入装置の上に取り付け可能であり、この装置を単独であるいは複数で装着できるようにする。さらに、この装置は段階的調整あるいは無段階の調整ができる。また、この装置は、供給配分と遮断を手動で、及びモーター駆動型アクチュエータによって調節可能であり、必要な場合には自動化することも可能である。本発明による装置は、更に、降雨時の雨水の浸入防止を期待できる。
【００１２】
本発明は、この課題を、空気導入用に装置の上に乗せることができるカバーとして構成した装置を提供することによって解決している。この蓋のように構成された装置は、空気供給部から持ち上げて供給配分を実行し、これは装置を垂直に上げて、横方向に離れるように展開させることによって行われる。この手順によれは、装置の取り付けも操作も容易であり、保守に掛かる手間も少なくてすむ。この外部取付によって、この装置は、コークス炉室の天井を通る空気供給部を有する既存のコークス炉室に容易に取り付けることができる。取り外しは、スナップ式のストッパーを少なくとも二段階で導入することによって、またこのストッパーが無い場合は、カウンターウエイトによって十分に保持できる関節機構によって、多段階に、言い換えれば無段階に行うことができる。
【００１３】
実際の装置は、カバーとして構成されており、逆さにしたカップのような形状をしている。すなわち、下側に向けて整形された襟状の周縁を有するプレートであることを意味している。しかし、下側に向けて開放された側部を具え、上方向に帽子をかぶっているかのような頂部を有する空気導入装置を覆っている側部を具える中空の円錐体であってもよい。この供給配分装置は、中実の円錐体でできていてもよく、これが動いて、下側に向かう頂部が空気導入装置に入り込んで、徐々に遮断する装置であってもよい。
【００１４】
このようにして、一次燃焼空気をコークス炉室へ、簡単に、かつ無段階又は段階的に供給配分することが可能となる。この装置は、単一の空気供給装置、あるいは複数の空気供給装置に取り付けることができる。本発明は、コークス炉室の内壁が天候の影響から保護されるという利点がある。とりわけ熱帯地方では、激しい降雨が頻繁かつ定期的に発生し、水平型のコークス炉室の操業において大きな問題となっている。強い降雨に際しては、雨水が繰り返し一次側空気供給部を通ってコークス炉室に浸入し、これが炉の操業を著しく阻害することがあると共に、炉の壁面を破壊することもある。本発明による装置によって、降雨時の水の浸入が確実に防止される。
【００１５】
特許請求の範囲は、特に、水平型のコークス炉室の一次側加熱空間に一次燃焼空気を供給配分又は遮断するための装置についてであり、これは、
・コークス炉バンク又はコークス炉バッテリーの少なくとも一のコークス炉室の天井に、一次燃焼空気の空気供給用の少なくとも一の開口部が設けられている装置において、
・この開口部が、外側部の空気供給部を覆うカバーを有し、このカバーを徐々に外して、空気供給部の開口を部分的に開放して、空気を導入できること、
・カバーの取り外しと空気供給部を開放する段階数が、二段階と多段階の範囲にあること、及び
・このカバーは、機械的装置によって垂直方向に動作可能なロッドに連結されており、この垂直方向の動きによってカバーが空気供給部を開閉すること、
を特徴とする。
【００１６】
最も良く用いられるレイアウトでは、空気供給部又は複数の空気供給部自体がパイプとして構成されており、本発明による装置はパイプの上に蓋のように載っていて、パイプを遮断している。このパイプは、単純に天井を垂直に通り抜けていてもよく、開放端が下に向いたＵ字管のようになっていてもよい。この場合、本発明の遮断装置は、上向きになった襟状の突出部と水平方向において対称に載っている。空気導入装置は、断面矩形であってもよく、天井を垂直又は斜めに通っていてもよい。
【００１７】
この流路は、レンガを積んで作ることもでき、コークス炉の天井に取入口が形成されている。空気取入口は、上側にレンガでできた突出部を形成していてもよい。コークス炉室天井の内側には、空気送出装置が任意に作られていてもよく、取り入れた一次空気を方向づけるインサートを具えていてもよい。空気導入用の流路又はパイプは、天井に密閉材を設けるようにしてもよい。
【００１８】
本発明による供給配分及び遮断装置自体は、任意の形状を有していてよい。カバーとして作用する本発明の装置は、ディスク形状であってもよく、コークス炉室に向けた襟状のカバーで構成されており、このカバーはカップを逆さにした断面を具え、これによってカバーされる空気送出装置より大きな断面となるので、本発明の機能を実現することができる。このカップは、任意の形状であっても良い。このカップは、６０度の角度で分枝している２本の直線を伴う直線の中央インターフェースを具えていても良い。しかしこのカップは、波型のＷ字形状であってもよく、このカップは逆さになった形で使用される。
【００１９】
しかしながら、本発明の装置は、逆さになっていて下向きに開放された中空円錐体として構成されており、中央インターフェースが逆さになったＶ字形状を有するものでもよい。最大断面において、逆さになった中空円錐体は、カバーされる空気供給部より断面が大きい。このＶ字形状は、波型、言い換えれば、尖った先端で終わっていなくてもよい。この中空の円錐体は、カバーするという役割を果たす限り、任意の形状であってもよい。
【００２０】
非常に簡単な実施例では、カバーと供給配分を行う装置を、空気供給装置に固定されていない単純なフラップとして構成しても良い。この装置は、移動機構を用いたロッドで昇降可能となっている。
【００２１】
このカバーは中実の円錐形状であってもよく、空気供給装置の中に入って、この円錐体が入ると空気供給装置又はパイプが遮断される。中実の円錐体は、中空であるが、全ての面に対して閉じている円錐体として構成することもできる。これはまた、その先端が空気供給装置の中に入ることによって、カバー機能を果たし、それによって空気を遮断する。これによって、製造コストが少なくなることがある。本発明のカバー装置はまた、それがカバー機能を果たす限り、単純なプレート形状を有するものでもよい。すなわち、本発明によるカバー装置は、本発明による課題を解決する限り、任意の形状でもよい。
【００２２】
本発明の装置は、コークス炉室天井における高温に対して充分に耐性がある任意の材料で作ることができる。この材料の一例は、ステンレススチールであるが、セラミクス又は石でつくることもできる。本発明のインサートは、密封剤又は封止具を具えていても良い。
【００２３】
本発明による装置は、その内側部に空気供給装置に入り込む増厚材を有しており、更なる密閉遮断を提供するようにしてもよい。これらの増厚材は、耐火性材料でできていることが望ましい。このことは、とりわけ開始段階で有用である。これらの増厚材は、カバーと供給配分を行う本発明の装置に対する、ボルト装置と共に昇降する。
【００２４】
本発明による装置は、空気供給部から離れるように動いて、空気供給装置を開く。空気供給装置が逆さにしたカップである場合、これを持ち上げることによって、空気供給装置から離れる。閉じた状態では、単にパイプの上に載せるだけで、装置が閉じる。例示的な実施例においては、このカップが下に向けてロッドへ連結されており、ロッドは油圧式昇降シリンダーに連結されている。この油圧式昇降装置は逆さになったカップを昇降させ、カップが下りたときにパイプを遮断する。この装置は二段階（開・閉）で、又は任意の段階数で昇降可能である。
【００２５】
開閉装置は、横方向に回して取り外したときに所望の機能を発揮する。これは、カバー装置に固定されている関節装置によって行なわれる。これは任意の方向に回して取り外すことができる。この取り外し動作も二段階から多段階（無段階）まで様々な段階で行うことができる。
【００２６】
カバー装置が中実の円錐体である場合は、通常は回して外すことができないので、通常、上下させることによってのみ外すことができる。しかし原理的には、いずれの装置も、カバー装置を空気供給装置へ及び装置から移動させることが考えられる。
【００２７】
一般的に、カバーは、完全且つ確実にカバーするためには、空気供給装置又はパイプよりも断面が大きい。不完全なカバー装置も考えられるが、稀である。通常、本発明のカバーとしての最大断面は、８０乃至２８０ミリメートルである。通常、本発明のカバーを設けた空気供給部又はパイプの最大断面は、５０乃至２５０ミリメートルである。典型的な実施例では、これらのパイプの高さは５０乃至１２００ミリメートルである。
【００２８】
空気供給部は、その内側に空気誘導装置を設けることができる。本発明の装置は、その内側に、例えば狭窄部が設けられており、これが流入するガス流にベンチュリー効果をもたらす。これによって、流入する空気流の速度が速くなる。空気供給部は整流板を具えていてもよい。コークス炉室の内側において、空気供給部に、ガス導入装置又は噴出口を設けるようにしてもよい。カバー装置はプレート又はカップであり、これらは、カバーの下のエリアを見る又はそこにアクセスできるように、開口又は目視用ガラスを具えていてもよい。
【００２９】
殆どのアプリケーションにおいて、空気供給部は、コークス炉室の上に個別に又はまとまって配置されている。しかし、中央で空気を吸引しこれを個々の空気供給部に分配する集合管を用いることも可能である。ガス排出管を具えた複数のコークス化室からガスを排出する集合管の例は、ＧＢ３８４０９２に開示されている。個々のガスを排出管には、供給配分装置としてフラップ（１８）が設けられている。外側から取り付けて、カバー効果のある供給配分装置はここには開示されていない。したがって、本発明に記載されているように、一次燃焼空気が外から供給され、コークス炉バッテリー又はコークス炉バンクの一次側燃焼空間の個々の空気導入管にこれを供給する集合管に、本発明の装置を設けて、コークス炉室を避けた集合管の外側端部で、遮断と供給配分を行うようにすることができる。
【００３０】
本発明による装置は、取付が簡単であり、コスト的に有利であり、保守や汚れ除去を容易に行うことができる。
【００３１】
特許請求の範囲は、特に方法について請求しており、この方法は、一次側加熱室への空気流入を本発明による装置によって制御及び調節することができる。特許請求の範囲は、特に、水平型のコークス炉室の一次側加熱空間に一次燃焼空気を供給配分又は遮断する方法に関し、この方法は、
・コークス炉バンク又はコークス炉バッテリーのコークス炉室の一次側加熱空間に、コークス炉室天井の一の開口を通って一次燃焼空気が取り入れられ、
・この一次燃焼空気が、コーキングガスの燃焼の一部に使われ、このコーキングガスはコークス化に際して、コークスケーク上方のコークス炉室の内部に位置しているガス空間に流れ、
・このようにして得た部分燃焼コーキングガスが、適宜の流路を通って、コークス化室の下方に位置している二次側加熱空間に流れ、そこで、当該部分燃焼したコーキングガスが二次燃焼空気と共に完全に燃焼する、
方法であり、
・一次燃焼空気を取り入れる開口部に、コークス炉室の外部に配置した装置が設けられており、一次燃焼空気を供給配分し、又は、一次燃焼空気のコークス炉室のコークス化空間への流入を遮断するステップと、
・カバーが垂直方向に持ちあがることによって一次燃焼空気の供給配分を行い、一次燃焼空気を供給配分し、又は、一次燃焼空気のコークス炉室の一次燃焼空間への流入を遮断するのにこの装置を使用するステップ、
を具えることを特徴とする。
【００３２】
本発明による方法を実行するうえで、複数のコークス炉バンクの一つ又はコークス炉バッテリーの複数のコークス炉室の空気供給部のみで供給配分及び遮断を行うように装置を配置して、空気流入を調節することができる。本発明の装置は、任意の位置に取り付けることができ、調節機能を持たない別の空気供給装置があってもよい。また、本発明による装置は、コークス炉バンク又はコークス炉バッテリーの一又は複数のコークス炉室の複数の空気供給部に載っていて、空気流入を制御調節するために使うことができる。一例として、コークス炉室の空気供給部のすべてに、本発明による遮断装置を設けるようにしてもよい。これらはいずれの場合も個別に又は同時に、制御及び調節を行うことができる。
【００３３】
この操作は、レバーやワイヤーあるいはリンク類を用いて、遠隔場所から手動で行うことができる。本発明による装置の駆動は、油圧式又は電動式で行うこともできる。例えば、この操作はカバーに対して直接、又は例えばレバーを用いて遠隔場所から行なってもよい。油圧式又は電動式の装置を適用する場合は、例えばプロセス・コントロールシステムによって自動化することができる。このために、例えばコークス炉室又は一次側加熱空間の温度や酸素含有量を検出するセンサー類も利用する。本発明による装置の位置を検出するセンサーも利用できる。ブローワーやコンプレッサーによって空気供給装置に若干、一定の負圧が生じる場合にも、この装置を利用することができる。
【００３１】
本発明による装置は、外側から空気導入装置に取り付けることができるので装着が容易であり、現存の設備に容易に据え付けることもできる。この装置は保守の手間がかからず、簡単に汚れを落とすことができる。その配置タイプによって、装置及び装置に取り付けたコークス炉室に必要なスペースが少なくて済む。本発明の装置によって、一次側加熱室への空気流入を容易に調節することができるので、一次側加熱空間への空気供給を均等に配分することができ、産出されるコークスの品質がより良いものとなる。カバー及び供給配分する本発明による装置は、自動化が容易であり、コークス炉室内の測定パラメーターに基づいて制御可能な方法を適用することによって作動させることができる。
【図面の簡単な説明】
【００３２】
以下において、本発明による装置の設計とレイアウトは１２枚の図面に基づいて説明されているが、発明の設計とレイアウトはこれら実施例に限定されるものではない。
【図１】図１は、コークス炉室（４）の一次側加熱空間（３）への空気供給部（２）の供給配分及び遮断を行う本発明による装置（１）を示す。コークス炉室には、天井（５）と一次側加熱空間（３）の一部が見られる。実際の本発明のカバー（１）は、逆さにしたカップ（１ａ）のような構成であり、これはコークス炉室に対して丸く襟状のカバー（１ｂ）を具えている。このカバーは空気供給装置（２）に載っているので、これによって空気の流入流（６）が遮断される。遮断装置は、その内側にロッド（７）で固定されている。このロッドは更に油圧シリンダー（８）に連結されており、適宜の油圧式装置によって上下に動く。油圧式装置は、接続ケーブル（８ｂ）を介して制御装置（８ｃ）に接続されているモーター式アクチュエータ（８ａ）によって駆動される。
【図２】図２は、油圧シリンダー（８ａ）によって開いている同一の装置を示す。この油圧シリンダー（８）は、ロッド（７）を上方に動かし、このロッドが同様にカップ（１ａ）を上方に動かす。これによって、一次側空気（６）を導入する空気供給部が開く。装置（１）はここでハンドル（９ａ）が付いた内部点検用点検ポート（９）を具えている。
【図３】図３はまた、点検用ポートに替えて、逆さになったカップ（１ａ）の内部に配置され、空気供給装置（２）へ移動し得、それをしっかり塞ぐことができる増厚材（１ｃ）を具える、同じ装置（１）を示している。この装置はまた、油圧シリンダー（８）を用いて、ロッド（７）によって自動的に動くことができる。
【図４】図４は、逆さになったカップ（１ａ）の内部に配置され、スクリュー装置（１ｄ）によって降下可能、すなわち、本発明によるフラップ（１）から、空気導入装置（２）へ降下できる増厚材（１ｃ）を具える、同じ装置（１）を示している。この装置（２）も、油圧シリンダー（７）を用いて、ロッド（６）によって自動的に動く。
【図５】図５も、コークス炉室（４）の一次側加熱空間（３）への空気供給部（２）の供給配分及び遮断を行う本発明の装置（１）を示す。遮断装置は、底部に向かって開放されている、中空の逆さになった円錐体（１ｅ）として構成されている。この中空円錐体はグリップ（１０）が付いていて、これによって中空円錐体（１ｅ）を手動（１０ａ）で横方向に回すことができる。中空円錐体それ自体は、ロッドを介して関節機構（７ａ）に固定されている。コークス炉室内部方向に向けた先端（５）側に、空気供給部（２）が噴出口（１１）と共に設けられている。
【図６】図６は、開位置にある中空円錐体（１ｅ）を伴う装置（１）を示している。一次空気（６ｂ）は噴出口（１１）を通って、方向づけられた形で導入される。
【図７】図７も、コークス炉室（４）の一次側加熱空間（３）への空気供給部（２）の供給配分及び遮断を行う本発明の装置（１）を示す。この装置（１）は、中実の閉じられた円錐体（１ｆ）を具えており、これは空気供給装置（２）の開口（２ａ）に入って、これをしっかり閉鎖する。空気供給装置（２）は、狭窄部を具えており、流入する一次空気（６）のガス速度（１２）を上げる。
【図８】図８は、この装置（１ｆ）を閉じた状態で示す。この動きは、油圧式アクチュエータによって動作する油圧シリンダー（８）を介して行なわれる。これは更に、制御ユニット（８ｃ）に接続ケーブル（８ｂ）を介して接続されたモーター駆動式アクチュエータ（８ａ）を介して制御される。コークス炉室の天井（５）の下に、一次側加熱空間（３）が見て取れる。 
【図９】図９は、コークス炉室（４）の一次側加熱空間（３）への空気供給部（２）の供給配分及び遮断を行う本発明による装置（１）を表わしている。この図では、空気供給装置（２）の上のカバーだけを見て取れる。中央断面においては、弧を描いたＷ字状（１ｇ）の形をしている。それによって、空気供給装置（２）としてのパイプを、より良い状態で覆うことができる。
【図１０】図１０は、単純なフラップ（１ｈ）として構成された本発明による装置（１）を示す図であり、このフラップは下に展開することで（１ｉ）空気供給部を覆う。この下側への展開は、油圧シリンダー（８）で動くレバー（７）によって制御される。これはモータ駆動式アクチュエータ（８ａ）によって駆動する。フラップは、ロッド（１ｊ）に対して可動に吊られている。
【図１１】図１１は、本発明による装置（１）を示す図であり、この装置はコークス炉室（４）に空気を供給する空気供給装置（２）を覆っている。両装置は無機物質又は石状材料でできている。カバー及び供給配分する本発明の装置（１）は、逆さになった中空円錐体（１ｋ）として構成されており、これはセラミクス材料でできている。コークス炉室（４）に空気を供給する装置（２）は、非焼成煉瓦（２ａ）でできており、突出部として形成された煉瓦の空気供給流路（２ｂ）を形成している。この供給配分及びカバー装置（１）は、横方向に展開させることで開く。
【図１２】図１２は、「非回収タイプ」又は「熱回収タイプ」の水平型コークス炉室（４）における本発明の装置（１）の配置を示している。供給配分及び遮断を行う本発明の装置（１）は、ここではパイプとして構成されている空気供給装置（２）の上方に配置した、丸い、襟状のスリーブ（１ｂ）を有する蓋として構成されている。これは、関節機構（７ａ）によって横方向に回って離れるようになっており、これによって空気供給部（２）が開閉する。ここではコークスケーク（１３）、コークス炉室の扉（１４）、開口部（１５ａ）を具える「降水管」流路（１５）、二次側加熱空間（１６）、そして二次側空気ソール（１７）が見て取れる。二次側空気ソール（１７）は、開口部（１７ａ）を具えており、この開口部にも供給配分及び遮断を行う装置が設けられており、二次側空気流を調節できる。
【符号の説明】
【００３３】
１      供給配分及び遮断を行う装置
１ａ    逆さになったカップ
１ｂ    丸い襟状のカバー
１ｃ    増厚材
１ｄ    スクリュー装置
１ｅ    中空円錐体
１ｆ    中実円錐体
１ｇ    弧を描いたＷ字状の逆さになったカップ
１ｈ    フラップ
１ｉ    下側に展開したフラップ位置
１ｊ    ロッド
１ｋ    煉瓦でできた逆さになった中空円錐体
２      空気供給部
２ａ    空気供給装置の煉瓦
２ｂ    突出部として煉瓦を積んだ空気供給路
３      一次側加熱空間
４      コークス炉室
５      コークス炉室の天井
６      空気流
７      ロッド
７ａ    ロッドを動かす関節機構
８      油圧シリンダー
８ａ    位置決めモーター
８ｂ    接続ケーブル
８ｃ    制御装置
９      グリップ付きの点検用開口部
１０    開放用グリップ
１０ａ  手動開口
１１    噴出口
１２    「ベンチュリー効果」でガス流速を高める狭窄部
１３    コークスケーク
１４    コークス炉室の扉（開装置付き）
１５    降水管
１５ａ  降水管の開口部
１６    二次側加熱空間
１７    二次側空気ソール
１７ａ  二次側空気ソールの供給配分及び遮断を行う装置
【手続補正２】
【補正対象書類名】特許請求の範囲
【補正対象項目名】全文
【補正方法】変更
【補正の内容】
【特許請求の範囲】
【請求項１】
水平型のコークス炉室（４）の一次側加熱空間（３）に一次燃焼空気を取り入れて供給配分及び遮断する開口部（２）とカバー（１）を具える装置であって、
・コークス炉バンク又はコークス炉バッテリーの少なくとも１つのコークス炉室（４）の天井（５）に、一次燃焼空気供給用の少なくとも１つの開口部（２）が設けられている装置において、
・前記開口部（２）が、前記空気供給装置（２）を外側から覆うカバー（１）を具えており、当該カバー（１）を段階的に取り外して、前記空気供給用開口部（２）を部分的に開き、これによって空気導入を可能にしており、
・前記カバー（１）を段階的に取り外して前記空気供給装置（２）を開放する段階数は、二段階ないし無段階であること、及び、
・前記カバー（１）が機械的装置によって垂直方向に移動可能なロッド（７）に連結されて、前記カバー（１）が前記垂直方向の移動によって前記空気供給装置（２）を開閉すること、
を特徴とする装置。
【請求項２】
請求項１に記載の水平型のコークス炉室（４）の一次側加熱空間（３）に一次燃焼空気を取り入れて供給配分及び遮断する開口部（２）とカバー（１）を具える装置において、
前記空気供給部（２）が、前記コークス炉（４）の天井（５）を抜けて通る単純かつ垂直なパイプとして構成されており、これによって、前記一次側加熱空間（３）に前記一次空気を供給することを特徴とする装置。
【請求項３】
請求項１又は２に記載の水平型のコークス炉室（４）の一次側加熱空間（３）に一次燃焼空気を取り入れて供給配分及び遮断する開口部（２）とカバー（１）を具える装置において、
前記カバー（１）が、前記コークス炉室に向けた丸い襟状のカバー（１ｂ）を有するディスクとして構成されており、当該ディスクがカップ状の断面を有し、このカバーの断面が、カバーされる空気供給部（２）の断面よりも大きいことを特徴とする装置。
【請求項４】
請求項１又は２に記載の水平型のコークス炉室（４）の一次側加熱空間（３）に一次燃焼空気を取り入れて供給配分及び遮断する開口部（２）とカバー（１）を具える装置において、
前記カバー（１）が下側に開放された中空円錐体（１ｅ）として構成されており、その最大断面位置において、カバーされる空気供給部（２）よりも大きいことを特徴とする装置。
【請求項５】
請求項１乃至４のいずれか１項に記載の水平型のコークス炉室（４）の一次側加熱空間（３）に一次燃焼空気を取り入れて供給配分及び遮断する開口部（２）とカバー（１）を具える装置において、
前記カバー（１）が、前記空気供給装置（２）と前記コークス炉室（４）に対向する側部に増厚材（１ｃ）を具えており、当該増厚材が、閉鎖手順において前記空気供給装置に入り込んで、前記空気供給装置（２）を密閉することを特徴とする装置。
【請求項６】
請求項５に記載の水平型のコークス炉室（４）の一次側加熱空間（３）に一次燃焼空気を取り入れて供給配分及び遮断する開口部（２）とカバー（１）を具える装置において、
前記増厚材（１ｃ）が耐火材でできていることを特徴とする装置。
【請求項７】
請求項５又は６に記載の水平型のコークス炉室（４）の一次側加熱空間（３）に一次燃焼空気を取り入れて供給配分及び遮断する開口部（２）とカバー（１）を具える装置において、
前記増厚材（１ｃ）が、前記覆う及び供給配分を行う装置（１）に対して、ボルト装置（１ｄ）を用いて高さを上げ下げできることを特徴とする装置。
【請求項８】
請求項１又は２に記載の水平型のコークス炉室（４）の一次側加熱空間（３）に一次燃焼空気を取り入れて供給配分及び遮断する開口部（２）とカバー（１）を具える装置において、
前記カバー（１）が、中実の又は覆われた円錐体（１ｆ）として構成されており、その先端が空気供給部（２）に入り込んでこれを覆うことを特徴とする装置。
【請求項９】
請求項１乃至８のいずれか１項に記載のコークス炉室（４）の一次側加熱空間（３）に一次燃焼空気を取り入れて供給配分及び遮断する開口部（２）とカバー（１）を具える装置において、
前記空気供給装置（２）が最大断面５０乃至２５０ミリメートルのパイプとして構成されており、前記カバー（１）が最大断面部において８０乃至２８０ミリメートルの断面を有することを特徴とする装置。
【請求項１０】
請求項１乃至９のいずれか１項に記載の水平型のコークス炉室（４）の一次側加熱空間（３）に一次燃焼空気を取り入れて供給配分及び遮断する開口部（２）とカバー（１）を具える装置において、
前記空気供給装置（２）が、内部に、流入空気に対して空気の流速を高めるベンチュリー効果を及ぼす狭窄部（１２）があるパイプとして構成されていることを特徴とする装置。
【請求項１１】
請求項１乃至１０のいずれか１項に記載の水平型のコークス炉室（４）の一次側加熱空間（３）に一次燃焼空気を取り入れて供給配分及び遮断する開口部（２）とカバー（１）を具える装置において、
前記カバー（１）が、開口部（９）又は目視用ガラスを具えており、これを通して、当該カバー（１）の下方に位置するエリアにアクセスし又はそこを目視できることを特徴とする装置。
【請求項１２】
請求項１乃至１１のいずれか１項に記載の水平型のコークス炉室（４）の一次側加熱空間（３）に一次燃焼空気を取り入れて供給配分及び遮断する開口部（２）とカバー（１）を具える装置において、
前記一次側の燃焼室（３）内の空気供給用パイプ（１）が、一次燃焼空気を外から供給する集合管に連結されており、一次燃焼空気を、コークス炉バッテリー又はコークス炉バンクの一次側燃焼室（３）の個々の空気供給パイプ（２）に分配し、前記遮断又は供給配分を行う装置（１）が前記コークス炉室からそれた集合管の外側端部上に配置されていることを特徴とする装置。
【請求項１３】
水平型のコークス炉室（４）の一次側加熱空間（３）に一次燃焼空気を取り入れて供給配分し又は遮断する方法であって、
・コークス炉バンク又はコークス炉バッテリーのコークス炉室（４）の一次側加熱空（３）に、コークス炉室（４）天井（５）の開口部（２）を通って一次燃焼空気を取り入れるステップと、
・この一次燃焼空気がコーキングガスの部分燃焼に使われ、このコーキングガスがコークス化に際して、コークスケーク（１３）の上方のコークス炉室（４）内部に位置するガス空間に流れるステップと、
・このようにして得た部分燃焼コーキングガスが、適宜の流路（１５）を通って、コークス炉室（４）の下方に位置する二次側加熱空間（３）に流入し、そこで部分燃焼コーキングガスが二次燃焼空気と完全燃焼するステップと、
を具える方法において、
・一次燃焼空気を取り入れる開口部（１）に、コークス炉室（４）の外に配置した装置（２）が設けられており、この装置が、一次燃焼空気を供給配分し、又は、一次燃焼空気がコークス炉室（４）のコークス化空間（３）へ流入することを遮断するステップと、
・前記カバー（２）が垂直方向に持ち上がることによって、前記一次燃焼空気の供給配分を行い、垂直方向に持ちあがることによって一次燃焼空気を供給配分し、又は、一次燃焼空気のコークス炉室（４）の一次燃焼空間（３）への流入を遮断する前記装置（１）を利用するステップと、
を具えることを特徴とする方法。
【請求項１４】
請求項１３に記載の水平型のコークス炉室（４）の一次側加熱空間（３）に一次燃焼空気を取り入れて供給配分し又は遮断する方法において、
前記装置（１）が、コークス炉バッテリー又はコークス炉バンクにある一又は複数のコークス炉室（４）の一の空気供給部（２）の上にのみ載っており、空気流入の調節に使用されるステップを具えることを特徴とする方法。
【請求項１５】
請求項１３に記載の水平型のコークス炉室（４）の一次側加熱空間（３）に一次燃焼空気を取り入れて供給配分し又は遮断する方法において、
前記装置（１）が、コークス炉バッテリー又はコークス炉バンクにある一又は複数のコークス炉室（４）の複数の空気供給部（２）の上に載っており、空気流入の調節に使用されるステップを具えることを特徴とする方法。
【請求項１６】
請求項１３乃至１５のいずれか１項に記載の水平型のコークス炉室（４）の一次側加熱空間（３）に一次燃焼空気を取り入れて供給配分し又は遮断する方法において、
前記装置（１）が、レバー、リンク類又はワイヤーを介して手動で動作するステップを具えることを特徴とする方法。
【請求項１７】
請求項１３乃至１５のいずれか１項に記載の水平型のコークス炉室（４）の一次側加熱空間（３）に一次燃焼空気を取り入れて供給配分し又は遮断する方法において、
前記装置（１）が油圧で動作するステップを具えることを特徴とする方法。
【請求項１８】
請求項１３乃至１５のいずれか１項に記載の水平型のコークス炉室（４）の一次側加熱空間（３）に一次燃焼空気を取り入れて供給配分し又は遮断する方法において、
前記装置（１）が電動モーターで動作するステップを具えることを特徴とする方法。
【請求項１９】
請求項１３乃至１８のいずれか１項に記載の水平型のコークス炉室（４）の一次側加熱空間（３）に一次燃焼空気を取り入れて供給配分し又は遮断する方法において、
前記一次燃焼空気の供給が、軽い、連続的な正圧で動作するブローワー又はコンプレッサーによって動作するステップを具えることを特徴とする方法。
【手続補正３】
【補正対象書類名】図面
【補正対象項目名】図７
【補正方法】変更
【補正の内容】
【図７】
2012519764.tif 000015
【国際調査報告】
2012519764.tif 000016
2012519764.tif 000017
2012519764.tif 000018
2012519764.tif 000019
2012519764.tif 000020
2012519764.tif 000021